(57)【要約】【課題】キャビネットに対して引き出された引き出しをオートクローズ機構によって閉めることができるとともに、小さい力で引き出しを開閉することができる引き出しの動作機構を提供する。【解決手段】内部に収納領域を有するキャビネットに対して閉方向へ動かされることで収納領域に収納され、キャビネットに対して開方向へ動かされることで収納領域から引き出される引き出しの動作機構であって、引き出しを閉方向へ付勢する第１付勢手段と、引き出しが開方向へ動く際に、引き出しを開方向へ付勢する第２付勢手段と、を備え、引き出しが閉方向へ動いて所定位置よりも収納領域側へ移動したとき、第１付勢手段が引き出しを閉方向へ付勢している状態で、第２付勢手段によって引き出しに作用する開方向への付勢力を解除または前記第１付勢手段によって前記引き出しに作用する前記閉方向への付勢力より低減していることを特徴とする引き出しの動作機構が提供される。【選択図】図１
2018130217.tif 000002
【特許請求の範囲】
【請求項１】
内部に収納領域を有するキャビネットに対して閉方向へ動かされることで前記収納領域に収納され、前記キャビネットに対して開方向へ動かされることで前記収納領域から引き出される引き出しの動作機構であって、
前記引き出しを前記閉方向へ付勢する第１付勢手段と、
前記引き出しが前記開方向へ動く際に、前記引き出しを前記開方向へ付勢する第２付勢手段と、
を備え、
前記引き出しが前記閉方向へ動いて所定位置よりも前記収納領域側へ移動したとき、前記第１付勢手段が前記引き出しを前記閉方向へ付勢している状態で、前記第２付勢手段によって前記引き出しに作用する前記開方向への付勢力を解除または前記第１付勢手段によって前記引き出しに作用する前記閉方向への付勢力よりも低減していることを特徴とする引き出しの動作機構。
【請求項２】
前記引き出しが全閉状態において、前記第１付勢手段は前記引き出しを前記閉方向へ付勢しており、前記第２付勢手段は前記引き出しを前記開方向へ付勢していないことを特徴とする請求項１記載の引き出しの動作機構。
【請求項３】
前記引き出しが全閉状態において、前記第１付勢手段は前記引き出しを前記閉方向へ付勢しており、前記第２付勢手段は前記引き出しを前記第１付勢手段による前記閉方向への付勢力より小さい付勢力で前記開方向へ付勢していることを特徴とする請求項１記載の引き出しの動作機構。
【請求項４】
前記第１付勢手段は、第１ばねを有し、
前記第２付勢手段は、第２ばねを有し、
前記第１ばねの一端の位置は、前記キャビネットに対して固定され、
前記引き出しが全閉状態から前記開方向へ動く際に、前記第１ばねの他端を前記引き出しに連動させて第１位置まで移動させることで、前記第１ばねのばね力を蓄積する第１工程と、
前記第１工程後、さらに前記引き出しが前記開方向へ動く際に、前記第１ばねの前記他端と前記引き出しとの連動を解除することで、前記ばね力が蓄積された状態で前記第１ばねの前記他端を前記第１位置に留める第２工程と、
前記第２工程後、前記引き出しが前記閉方向へ動く際に、前記第１位置に留まっていた前記第１ばねの前記他端を前記引き出しに連動させ移動可能とすることで、蓄積された前記ばね力によって前記引き出しを前記閉方向へ付勢する第３工程と、
を実行可能であり、
前記第３工程の実行中に、前記第２ばねが前記引き出しに連動することで前記第２ばねのばね力が蓄積され、
前記第１工程の実行中に、前記第２ばねに蓄積された前記ばね力によって前記引き出しを前記開方向へ付勢することを特徴とする請求項１〜３のいずれか１つに記載の引き出しの動作機構。
【請求項５】
前記第１工程において、前記第１ばねにより前記引き出しに作用する前記閉方向への付勢力は、前記第２ばねにより前記引き出しに作用する前記開方向への付勢力よりも大きいことを特徴とする請求項４記載の引き出しの動作機構。
【請求項６】
前記第２工程において、前記第２ばねにより前記引き出しに作用する前記開方向への付勢力が解除されることを特徴とする請求項４または５に記載の引き出しの動作機構。
【発明の詳細な説明】
【技術分野】
【０００１】
本発明の態様は、一般的に、引き出しの動作機構に関する。
【背景技術】
【０００２】
従来、引き出された引き出しを収納する際に引き出しが所定の位置をこえると、引き出しを全閉位置まで引き入れる引き込み装置を有する引き出し付きキャビネットが知られている。この引き込み装置によれば、引き出された引き出しをばねで引っ張って確実に全閉位置に収納することができる（オートクローズ機構）。
【先行技術文献】
【特許文献】
【０００３】
【特許文献１】特開２００８−１６１４７４号公報
【発明の概要】
【発明が解決しようとする課題】
【０００４】
しかしながら、上記の引き出し付きキャビネットでは、引き出しを引き出す際にばねを伸ばしてばね力を蓄積し、引き出しを収納する際に引き出しが所定の位置を越えるとばね力により引き出しが全閉位置まで収納される。そのため、引き出しを引き出す際には、ばね力を蓄積するための力が必要であった。  
これに対して、引き出しの閉動作の途中でオートクローズ用のばね力を蓄積する引き出しの機構も知られている（例えば特許文献１）。この機構によれば、引き出しを引き出す際にばね力を蓄積するための力が不要となるため、小さな力で引き出しを引き出すことができる。そして、引き出しの閉動作の途中で引き出しの慣性力を利用してばね力を蓄積することができる。しかしながら、特許文献１に記載の機構では、ばね力を蓄積するためにカムを重力に逆らって動かす必要があるため、引き出しを閉めづらいといった問題がある。  
本発明は、かかる課題の認識に基づいてなされたものであり、キャビネットに対して引き出された引き出しをオートクローズ機構によって閉めることができるとともに、小さい力で引き出しを開閉することができる引き出しの動作機構を提供することを目的とする。
【課題を解決するための手段】
【０００５】
第１の発明は、内部に収納領域を有するキャビネットに対して閉方向へ動かされることで前記収納領域に収納され、前記キャビネットに対して開方向へ動かされることで前記収納領域から引き出される引き出しの動作機構であって、前記引き出しを前記閉方向へ付勢する第１付勢手段と、前記引き出しが前記開方向へ動く際に、前記引き出しを前記開方向へ付勢する第２付勢手段と、を備え、前記引き出しが前記閉方向へ動いて所定位置よりも前記収納領域側へ移動したとき、前記第１付勢手段が前記引き出しを前記閉方向へ付勢している状態で、前記第２付勢手段によって前記引き出しに作用する前記開方向への付勢力を解除または前記第１付勢手段によって前記引き出しに作用する前記閉方向への付勢力より低減していることを特徴とする引き出しの動作機構である。
【０００６】
この引き出しの動作機構によれば、引き出しが開方向へ動く際に、第１付勢手段が引き出しを閉方向へ付勢しながら、第２付勢手段が引き出しを開方向へ付勢する。これにより、引き出しを開く際に、第１付勢手段による閉方向への付勢力に対して抗するように、第２付勢手段が引き出しを開方向へ付勢することになるため、引き出しを小さい力で開くことができる。  
また、引き出しが閉方向へ動いて所定位置よりも収納領域側へ移動すると、第２付勢手段によって引き出しに作用する開方向への付勢力が解除または第１付勢手段によって引き出しに作用する閉方向への付勢力より低減されているため、所定位置よりも収納領域側では、第１付勢手段による付勢力により引き出しをしっかりと閉じることができる。  
また、ばね力を蓄積するためのカム等の部材を重力に逆らって動かす必要がないため、引き出しを開きやすい。
【０００７】
第２の発明は、第１の発明において、前記引き出しが全閉状態において、前記第１付勢手段は前記引き出しを前記閉方向へ付勢しており、前記第２付勢手段は前記引き出しを前記開方向へ付勢していないことを特徴とすることを特徴とする引き出しの動作機構である。
【０００８】
この引き出しの動作機構によれば、引き出しが全閉状態において、第１付勢手段が引き出しを前記閉方向へ付勢しつつも、第２付勢手段は引き出しを開方向へ付勢していないため、全閉状態の引き出しを、閉方向に付勢させ続けることができる。したがって、引き出しの動作機構が設置されたキャビネットを持ち運びした際や、地震が発生した際などに、引き出しが意図せず開いてしまうことを抑制できる。
【０００９】
第３の発明は、第１の発明において、前記引き出しが全閉状態において、前記第１付勢手段は前記引き出しを前記閉方向へ付勢しており、前記第２付勢手段は前記引き出しを前記第１付勢手段による前記閉方向への付勢力より小さい付勢力で前記開方向へ付勢していることを特徴とすることを特徴とする引き出しの動作機構である。
【００１０】
この引き出しの動作機構によれば、引き出しが全閉状態において、第１付勢手段が引き出しを前記閉方向へ付勢しつつも、第２付勢手段は引き出しを第１付勢手段による閉方向への付勢力より小さい付勢力で開方向へ付勢しているため、全閉状態の引き出しを、閉方向に付勢させ続けることができる。したがって、引き出しの動作機構が設置されたキャビネットを持ち運びした際や、地震が発生した際などに、引き出しが意図せず開いてしまうことを抑制できる。
【００１１】
第４の発明は、第１〜第３のいずれか１つの発明において、前記第１付勢手段は、第１ばねを有し、前記第２付勢手段は、第２ばねを有し、前記第１ばねの一端の位置は、前記キャビネットに対して固定され、前記引き出しが全閉状態から前記開方向へ動く際に、前記第１ばねの他端を前記引き出しに連動させて第１位置まで移動させることで、前記第１ばねのばね力を蓄積する第１工程と、前記第１工程後、さらに前記引き出しが前記開方向へ動く際に、前記第１ばねの前記他端と前記引き出しとの連動を解除することで、前記ばね力が蓄積された状態で前記第１ばねの前記他端を前記第１位置に留める第２工程と、前記第２工程後、前記引き出しが前記閉方向へ動く際に、前記第１位置に留まっていた前記第１ばねの前記他端を前記引き出しに連動させ移動可能とすることで、蓄積された前記ばね力によって前記引き出しを前記閉方向へ付勢する第３工程と、を実行可能であり、前記第３工程の実行中に、前記第２ばねが前記引き出しに連動することで前記第２ばねのばね力が蓄積され、前記第１工程の実行中に、前記第２ばねに蓄積された前記ばね力によって前記引き出しを前記開方向へ付勢することを特徴とする引き出しの動作機構である。
【００１２】
この引き出しの動作機構によれば、第１工程において、引き出しを開方向へ動かす際に、第２ばねが引き出しを開方向へ付勢することで、第１ばねによる閉方向への付勢力に対して抗するように、第２ばねが引き出しを開方向へ付勢することになるため、引き出しを小さい力で開くことができる。  
また、第３工程において、第２ばねのばね力が蓄積されるため、第１ばねによって引き出しに作用する閉方向への付勢力、および、引き出しに発生している閉方向への慣性力、によって、使用者はより小さい力で第２ばねのばね力を蓄積できる。 そして、第３工程において、引き出しが所定位置よりも収納領域側へ移動すると第２ばねによって引き出しに作用する開方向への付勢力が解除または第１ばねによって引き出しに作用する閉方向への付勢力より低減されるため、第１ばねによる付勢力により引き出しをしっかりと閉めることができる。  
さらに、ばね力を蓄積するためのカム等の部材を重力に逆らって動かす必要がないため、引き出しを開きやすい。
【００１３】
第５の発明は、第４の発明において、前記第１工程において、前記第１ばねにより前記引き出しに作用する前記閉方向への付勢力は、前記第２ばねにより前記引き出しに作用する前記開方向への付勢力よりも大きいことを特徴とする引き出しの動作機構である。
【００１４】
この引き出しの動作機構によれば、第１ばねによる引き出しに作用する閉方向への付勢力に対して抗するように第２ばねが引き出しを開方向へ付勢することができることで、より小さい力で引き出しを開くことができつつも、第２ばねによる開方向への付勢力に負けずに、第１ばねによって閉方向へ引き出しを付勢することができるため、引き出しをよりしっかりと全閉状態とすることができる。
【００１５】
第６の発明は、第４または第５の発明において、前記第２工程において、前記第２ばねにより前記引き出しに作用する前記開方向への付勢力が解除されることを特徴とする引き出しの動作機構である。
【００１６】
この引き出しの動作機構によれば、第１ばねのばね力の蓄積が完了した際に、第２ばねによる開方向への付勢力が解除されるため、より滑らかに引き出しを引き出すことができる。
【発明の効果】
【００１７】
本発明の態様によれば、キャビネットに対して引き出された引き出しをオートクローズ機構によって閉めることができるとともに、小さい力で引き出しを開閉することができる引き出しの動作機構が提供される。
【図面の簡単な説明】
【００１８】
【図１】図１（ａ）及び図１（ｂ）は、第１の実施形態に係る引き出しの動作機構を有する引き出し付きキャビネットを例示する模式的断面図である。
【図２】図２（ａ）及び図２（ｂ）は、第１の実施形態に係る引き出しの動作機構を有する引き出し付きキャビネットを例示する模式的断面図である。
【図３】図３（ａ）〜図３（ｆ）は、第１の実施形態に係る引き出しの動作機構を有する引き出し付きキャビネットを例示する模式的断面図である。
【図４】図４（ａ）〜図４（ｈ）は、第１の実施形態に係る引き出しの動作機構を有する引き出し付きキャビネットを例示する模式的断面図である。
【図５】第１の実施形態における、引き出しの移動距離と、引き出しを開くために必要な力と、の関係を例示するグラフ図である。
【図６】図６（ａ）及び図６（ｂ）は、第２の実施形態に係る引き出しの動作機構を有する引き出し付きキャビネットを例示する模式的断面図である。
【図７】図７（ａ）及び図７（ｂ）は、第２の実施形態に係る引き出しの動作機構を有する引き出し付きキャビネットを例示する模式的断面図である。
【図８】図８（ａ）〜図８（ｆ）は、第２の実施形態に係る引き出しの動作機構を有する引き出し付きキャビネットを例示する模式的断面図である。
【図９】図９（ａ）〜図９（ｈ）は、第２の実施形態に係る引き出しの動作機構を有する引き出し付きキャビネットを例示する模式的断面図である。
【図１０】第２の実施形態における、引き出しの移動距離と、引き出しを開くために必要な力と、の関係を例示するグラフ図である。
【発明を実施するための形態】
【００１９】
以下、本発明の実施の形態について図面を参照しつつ説明する。なお、各図面中、同様の構成要素には同一の符号を付して詳細な説明は適宜省略する。
【００２０】
（第１の実施形態）  
図１（ａ）〜図２（ｂ）は、第１の実施形態に係る引き出しの動作機構を有する引き出し付きキャビネットを例示する断面図である。  
引き出し付きキャビネット１０は、キャビネット（キャビネット本体）１００と、引き出し２００と、レール３００と、動作機構（動作装置）２０と、を有する。  
図１（ａ）は、引き出し２００がキャビネットに収納された状態を示す。図１（ｂ）は、図１（ａ）のうち動作機構２０の近傍を拡大して表す。  
図２（ａ）は、引き出し２００がキャビネットから引き出された状態を示す。図２（ｂ）は、図２（ａ）のうち動作機構２０の近傍を拡大して表す。
【００２１】
キャビネット１００は、前方に向けて開放された収納領域１０１を有する。例えば、キャビネット１００は箱状であり、前方に向けて設けられた開口１０３を有する。
【００２２】
引き出し２００は、前板２０１と、収納部２０２と、前板２０１に取り付けられた把手２０３と、を有する。引き出し２００（収納部２０２）は、開口１０３からキャビネット１００内の収納領域（空間）１０１に収納される。
【００２３】
なお、本願明細書において、「前方」とは、引き出し２００がキャビネット１００から引き出される方向をいう。また、「後方」とは、引き出し２００がキャビネット１００に収納される方向をいう。
【００２４】
レール３００は、収納領域１０１と前方領域１０２との間において、引き出し２００を前後方向に移動させる。すなわち、引き出し２００は、レール３００によって摺動可能に支持され、収納領域１０１及び前方領域１０２内を移動することができる。なお、前方領域１０２は、収納領域１０１の前方に位置する空間であり、キャビネット１００の外側である。
【００２５】
レール３００は、外レール３１０（固定レール）と内レール３２０（可動レール）とを有する。外レール３１０及び内レール３２０は、それぞれ前後方向に延びている。外レール３１０は、キャビネット１００の内面に固定され、内レール３２０は、引き出し２００の側面に固定される。内レール３２０は、外レール３１０に対して前後方向に摺動可能に取り付けられる。これにより、引き出し２００は、内レール３２０と共に、外レール３１０及びキャビネット１００に対して前後方向に移動可能である。
【００２６】
例えば、引き出し２００は、後方（閉方向）へ動かされることで、前方領域１０２から収納領域１０１に向かって移動し、キャビネット１００（収納領域１０１）に収納される。逆に、引き出し２００は、前方（開方向）へ動かされることで、収納領域１０１から前方領域１０２に向かって移動し、キャビネット１００（収納領域１０１）から引き出される。
【００２７】
なお、外レール３１０と内レール３２０との間に、外レール３１０に対して前後方向に摺動可能な中レール（可動レール）が設けられてもよい。また、可動レールを外側に設け、固定レールを内側に設けてもよい。
【００２８】
図１（ａ）では、引き出し２００が収納領域１０１に収納され、全閉位置Ｐａに位置する全閉状態を示している。全閉位置とは、引き出し２００が閉まり切ったときのキャビネット１００に対する位置である。すなわち、全閉状態において、引き出し２００は、キャビネット１００に対する可動範囲のうち最も後方に位置する。例えば、全閉状態において、前板２０１は、キャビネット１００に接する。
【００２９】
図２（ａ）では、引き出し２００が収納領域１０１から引き出され、全開位置Ｐｇに位置する全開状態を示している。全開位置とは、引き出し２００が開き切ったときのキャビネット１００に対する位置である。すなわち、全開状態において、引き出し２００は、キャビネット１００に対する可動範囲のうち最も前方に位置する。
【００３０】
なお、図面中では、引き出し２００のキャビネット１００に対する位置を、前板２０１の位置を基準として示している。ただし、実施形態において引き出し２００のキャビネット１００に対する位置の基準は、任意である。
【００３１】
動作機構２０は、第１付勢手段（付勢部）４１０と、第２付勢手段（付勢部）４２０と、を有する。  
第１付勢手段４１０は、引き出し２００を閉方向へ付勢するものである。また、第２付勢手段４２０は、引き出し２００が開方向へ動く際に、引き出し２００を開方向へ付勢するものである。
【００３２】
例えば、図１（ｂ）に示すように、この例では、第１付勢手段４１０に第１ばね４１２が用いられている。第１ばね４１２は、例えば引張コイルばねである。引張コイルばねのばね力（弾性力）は、自然長から伸縮した長さに比例する。また、動作機構２０は、第１ケース４１１と、第１トリガ（支持部材）４１３と、第１ピン４１４と、を有する。
【００３３】
第１ケース４１１は、キャビネット１００に対して固定される。第１ばね４１２および第１トリガ４１３は、第１ケース４１１に設けられる。  
第１ばね４１２の端部ｅ１（後端、一端）は、第１ケース４１１に固定される。すなわち、第１ばね４１２の端部ｅ１の位置は、間接的にキャビネット１００に固定される。  
第１トリガ４１３は、例えばフック状の部材であり、第１ばね４１２の端部ｅ２（前端、他端）に取り付けられる。第１トリガ４１３は、第１ケース４１１内において前後方向に移動可能である。なお、本願明細書において「ばねの端部」という範囲は、ばねの端の近傍の領域（例えば、ばねの端からの距離が１０ｍｍ程度以下の領域）を含む。
【００３４】
第１ピン４１４は、引き出し２００に固定されており、第１トリガ４１３と係合可能である。第１ピン４１４と第１トリガ４１３とが係合した状態では、引き出し２００及び第１ピン４１４が前方へ動くとき、第１トリガ４１３も前方へ移動し、第１ばね４１２が伸ばされる。第１ピン４１４と第１トリガ４１３とが係合した状態では、引き出し２００及び第１ピン４１４が後方へ動くとき、第１トリガ４１３も後方へ移動し、第１ばね４１２は縮まる。
【００３５】
このように、前後方向に移動する引き出し２００に連動して、第１ばね４１２が前後方向に伸び縮みする。第１ばね４１２が伸びることで、第１ばね４１２には、ばね力が蓄積される。すなわち、弾性エネルギーが蓄積される。第１ピン４１４と第１トリガ４１３とが係合した状態では、第１ばね４１２のばね力（弾性力）が、第１トリガ４１３及び第１ピン４１４を介して引き出し２００に伝達される。これにより、第１ばね４１２は、引き出し２００を後方へ付勢し、全閉位置Ｐａへ引き入れる。
【００３６】
また、第１ケース４１１には、ダンパ４１６が設けられる。ダンパ４１６は、引き出し２００が全閉位置Ｐａへ移動する際に、引き出し２００の速度を減衰させる。第１付勢手段４１０とダンパ４１６とによって、引き出し２００をゆっくり確実に閉めることができる（オートクローズ）。なお、ダンパ４１６には、スプリング式やオイル式など任意の方式を用いることができる。
【００３７】
また、例えば図１（ｂ）に示すように、この例では、第２付勢手段４２０に第２ばね４２２が用いられている。第２ばね４２２は、定荷重ばね（定トルクばね、定出力ばね）である。定荷重ばねのばね力は、ばねが伸縮した長さによらず略一定である。なお、第２付勢手段４２０には、引張コイルばねを用いてもよい。また、動作機構２０は、第２ケース４２１と、第２トリガ（支持部材）４２３と、第２ピン４２４と、を有する。
【００３８】
第２ケース４２１は、キャビネット１００に対して固定される。第２ばね４２２および第２トリガ４２３は、第２ケース４２１に設けられる。  
第２ばね４２２の端部ｅ３（前端）は、第２ケース４２１に固定される。すなわち、第２ばね４２２の端部ｅ３の位置は、間接的にキャビネット１００に固定される。  
第２トリガ４２３は、例えばフック状の部材であり、第２ばね４２２の端部ｅ４（後端）に取り付けられる。第２トリガ４２３は、第２ケース４２１内において前後方向に移動可能である。
【００３９】
第２ピン４２４は、引き出し２００に固定されており、第２トリガ４２３と係合可能である。第２ピン４２４と第２トリガ４２３とが係合した状態では、引き出し２００及び第２ピン４２４が前方へ動くとき、第２トリガ４２３も前方へ移動し、第２ばね４２２は縮まる。第２ピン４２４と第２トリガ４２３とが係合した状態では、引き出し２００及び第２ピン４２４が後方へ動くとき、第２トリガ４２３も後方へ移動し、第２ばね４２２が伸ばされる。
【００４０】
このように、前後方向に移動する引き出し２００に連動して、第２ばね４２４が前後方向に伸び縮みする。第２ばね４２２が伸びることで、第２ばね４２２には、ばね力が蓄積される。第２ピン４２４と第２トリガ４２３とが係合した状態では、第２ばね４２２のばね力（弾性力）が、第２トリガ４２３及び第２ピン４２４を介して引き出し２００に伝達される。これにより、第２ばね４２２は、引き出し２００を前方へ付勢する。
【００４１】
次に、図３（ａ）〜図３（ｆ）、図４（ａ）〜図４（ｈ）及び図５を参照して、引き出し２００を開閉する際の動作機構２０の動作について説明する。
【００４２】
図３（ａ）〜図３（ｆ）及び図４（ａ）〜図４（ｈ）は、第１の実施形態に係る引き出しの動作機構を有する引き出し付きキャビネットを例示する断面図である。  
図３（ａ）は、全閉状態を表し、図４（ｇ）は、全開状態を表す。図３（ｃ）、図３（ｅ）、図４（ａ）、図４（ｃ）、図４（ｅ）は、それぞれ、全閉状態と全開状態との間の状態を表す。  
また、図３（ｂ）、図３（ｄ）、図３（ｆ）、図４（ｂ）、図４（ｄ）、図４（ｆ）、図４（ｈ）は、それぞれ、図３（ａ）、図３（ｃ）、図３（ｅ）、図４（ａ）、図４（ｃ）、図４（ｅ）、図４（ｇ）に示す動作機構２０の近傍を拡大して表す。
【００４３】
図５は、引き出しの移動距離と、引き出しを開くために必要な力と、の関係を例示するグラフ図である。  
図５の縦軸は、引き出し２００を開くために必要な前向きの力Ｆを表す。図５の横軸は、引き出しの移動距離（Ｘ）、言い換えれば、全閉状態から引き出し２００が引き出された距離を表す。移動距離（Ｘ）は、例えば、前板２０１とキャビネット１００との間の距離に相当する（例えば図２（ａ）を参照）。なお、図５は、簡単のため、摩擦力などを省略した模式的なグラフである。
【００４４】
まず、引き出し２００を全閉状態から開く（引き出す）場合について説明する。  
図３（ａ）及び図３（ｂ）においては、引き出し２００は全閉状態である。すなわち、引き出し２００は、全閉位置Ｐａに位置し、移動距離（Ｘ）はゼロである。このとき、図３（ｂ）に示すように、第１ピン４１４と第１トリガ４１３とは係合している。また、第１ばね４１２は、自然長よりも伸びた状態である。このため、第１ばね４１２は、引き出し２００に後方へ向かう力ｆ１を作用させる。
【００４５】
一方、全閉状態において、第２トリガ４２３は、その可動範囲のうちの後方位置Ｐｒにロックされている。すなわち、第２トリガ４２３の位置は、第２ケース４２１に対して相対的に固定されている。例えば、トリガに金属を用い、マグネットなどによって、トリガの位置をロックすることができる。ただし、実施形態においてトリガをロックする方法は任意であり、例えば、樹脂や金属の弾性などを利用してトリガを所定の位置にロックしてもよい。
【００４６】
また、全閉状態においては、第２ピン４２４は、第２トリガ４２３よりも後方に位置し、第２トリガ４２３と係合していない。このため全閉状態において、第２ばね４２２は引き出し２００を付勢しない。
【００４７】
以上により、図５に示すようにＸ＝０のとき、引き出し２００を開くために必要な力Ｆの大きさは、力ｆ１の大きさとなる。このように引き出し２００が全閉位置に位置する状態において、第１ばね４１２のばね力が引き出し２００に掛かっていることにより、収納領域にある引き出し２００の前方への移動を抑えることができる。全閉状態の引き出し２００を閉方向に付勢させ続けることができ、引き出し付きキャビネット１０を持ち運びだした際や、地震が発生した際などに、引き出し２００が意図せず開いてしまうことを抑制できる。
【００４８】
なお、実施形態においては、全閉状態（および、移動距離（Ｘ）が後述のＸ２未満の範囲）において、第２ピン４２４と第２トリガ４２３とが係合していてもよい。この場合、全閉状態において、第１ばね４１２は引き出し２００を閉方向へ付勢し、第２ばね４２２は、第１ばね３１２による閉方向への付勢力よりも小さい付勢力で引き出し２００を開方向へ付勢する。この場合にも、全閉状態の引き出し２００を閉方向へ付勢させ続けることができ、引き出し付きキャビネット１０を持ち運びだした際や、地震が発生した際などに、引き出し２００が意図せず開いてしまうことを抑制できる。
【００４９】
図３（ｃ）及び図３（ｄ）のように、引き出し２００が前方へ動いて位置Ｐｂへ移動すると、移動距離（Ｘ）はＸ１（＞０）となる。このとき、引き出し２００には、第１ばね４１２により力ｆ１が掛かっている。
【００５０】
図３（ｅ）及び図３（ｆ）のように、引き出し２００がさらに前方へ動いて位置Ｐｃへ移動すると、移動距離（Ｘ）はＸ２（＞Ｘ１）となる。このときも、引き出し２００には、第１ばね４１２により力ｆ１が掛かっている。また、第２ピン４２４は、第２トリガ４２３に当接することで、第２トリガ４２３のロックを解除する。同時に、第２ピン４２４と第２トリガ４２３とは係合する。このため、第２ばね４２２は、引き出し２００に前方へ向かう力ｆ２を作用させる。引き出し２００には、第１ばね４１２による引き出し２００を閉める方向の力（力ｆ１）と、第２ばね４２２による引き出し２００を開く方向の力（力ｆ２）と、の両方が掛かる。
【００５１】
このため、図５に示すようにＸ＝Ｘ２のとき、引き出し２００を開くために必要な力Ｆの大きさは、力ｆ１の大きさと力ｆ２の大きさとの差となる。
【００５２】
図４（ａ）及び図４（ｂ）のように、引き出し２００がさらに前方へ動いて位置Ｐｄへ移動すると、移動距離（Ｘ）はＸ３（＞Ｘ２）となる。このとき、引き出し２００には、第１ばね４１２による力ｆ１と、第２ばね４２２による力ｆ２と、の両方が掛かっている。
【００５３】
図４（ｃ）及び図４（ｄ）のように、引き出し２００がさらに前方へ動いて位置Ｐｅへ移動すると、移動距離（Ｘ）はＸ４（＞Ｘ３）となる。このとき、第１トリガ４１３は、第１ケース４１１の形状等のガイドに沿って回転し、第１トリガ４１３と第１ピン４１４との係合が解除される。これにより、引き出し２００には、第１ばね４１２による後方への付勢力が作用しなくなる。  
また、このとき、第１トリガ４１３はロックされ、第１トリガ４１３の位置は第１ケース４１１に対して相対的に固定される。これにより、図４（ｄ）に示すように第１ばね４１２の端部ｅ２は、第１位置Ｐ１に留まり、第１ばね４１２のばね力が蓄積された状態が維持される。なお、第１トリガ４１３をロックする方法は、第２トリガ４２３をロックする方法と同様である。
【００５４】
同時に、第２トリガ４２３も第２ケース４２１の形状等のガイドに沿って回転し、第２トリガ４２３と第２ピン４２４との係合が解除される。これにより、引き出し２００には、第２ばね４２２による前方への付勢力が作用しなくなる。また、このとき、第２トリガ４２３はロックされ、第２トリガ４２３の位置は、第２ケース４２１に対して相対的に固定される。
【００５５】
引き出し２００がさらに前方へ動いて位置Ｐｆへ移動すると、図４（ｅ）及び図４（ｆ）のように移動距離（Ｘ）はＸ５（＞Ｘ４）となる。このとき、第１トリガ４１３及び第２トリガ４２３は、ロックされたままであり、第１ばね４１２の端部ｅ２は第１位置Ｐ１に留まっている。また、引き出し２００には、第１ばね４１２及び第２ばね４２２による付勢力が作用しない。このため、図５に示すように、引き出し２００を開くために必要な力Ｆの大きさは、小さい。
【００５６】
その後、図４（ｇ）及び図４（ｈ）のように、引き出し２００がさらに前方へ動いて全開位置Ｐｇへ移動すると、移動距離（Ｘ）はＸ６（＞Ｘ５）となる。
【００５７】
以上、説明したように、動作機構２０は、０＜Ｘ＜Ｘ４の範囲において、図３（ａ）〜図４（ｂ）のように引き出し２００が全閉状態から前方（開方向）へ動く際に、第１ばね４１２の端部ｅ２を引き出し２００に連動させて第１位置Ｐ１まで移動させる。これにより、第１ばね４１２のばね力を蓄積する（第１工程）。
【００５８】
第１工程のうち、Ｘ２≦Ｘ＜Ｘ４の範囲においては、第１ばね４１２（第１付勢手段４１０）が引き出しを閉方向へ付勢しながら、第２ばね４２２（第２付勢手段４２０）が引き出し２００を開方向へ付勢する。これにより、引き出し２００を開く際に、第１ばね４１２による閉方向への付勢力に対して抗するように、第２ばね４２２が引き出し２００を開方向へ付勢することになるため引き出しを小さい力で開くことができる。すなわち、第１ばね４１２による付勢力（力ｆ１）と第２ばね４２２による付勢力（力ｆ２）との合力が小さくなり、引き出し２００を小さい力で開くことができる。
【００５９】
また、引き出し２００を引き出すため必要な仕事量は、例えば図５に示す領域Ｒ１の面積に対応する仕事量となり、領域Ｒ２の面積に対応する仕事量が不要になる。これにより、楽に引き出し２００を引き出すことができる。
【００６０】
また、第２ばね４２２が設けられない場合、図５に示すＸ＝Ｘ４のときのように、第１ばね４１２のばね力の蓄積工程が終了すると、ばねの付勢力が引き出し２００に急に掛からなくなるため、使用者が違和感を覚えるおそれがある。これに対して、実施形態においては、第１工程が終了する直前において、引き出し２００に作用する付勢力（力ｆ１と力ｆ２との合力）が小さいため、使用者の違和感を抑制することができる。
【００６１】
また、第１工程において、第１ばね４１２による付勢力（力ｆ１）の大きさは、第２ばね４２２による付勢力（力ｆ２）の大きさよりも大きい。このため、Ｘ＜Ｘ４の範囲において、使用者が力Ｆの印加を停止すると、引き出し２００は自然に閉まることができる。
【００６２】
また、動作機構２０は、第１工程の後、Ｘ＝Ｘ４において、図４（ｃ）及び図４（ｄ）のように、引き出し２００が前方（開方向）へ動く際に、第１ばね４１２の端部ｅ２と引き出し２００との連動を解除する。これにより、ばね力が蓄積された状態で第１ばね４１２の端部ｅ２を第１位置Ｐ１に留める（第２工程）。
【００６３】
この第２工程において、第２ばね４２２による引き出し２００に作用する前方（開方向）への付勢力（力ｆ２）が解除される。このように、第１ばね４１２のばね力の蓄積工程が完了した際、第１ばね４１２による付勢力（力ｆ１）の解除と同時に、第２ばね４２２による付勢力（力ｆ２）を解除することにより、より滑らかに引き出し２００を引き出すことができる。
【００６４】
また、従来、引き出しを閉じるためのばね力を引き出しを閉じる際に蓄積する動作機構も提案されている。しかし、この場合には、引き出しを全閉位置から少し引き出しただけでは、ばね力が蓄積されないため、引き出しを閉めることができないことがある。これに対して、実施形態においては、第１ばね４１２によって、引き出し２００が少しだけ開いた状態においても、引き出し２００を後方へ付勢することができる。
【００６５】
次に、引き出し２００を全開状態から収納領域１０１に収納する（閉じる）ときの動作について説明する。  
図４（ｇ）及び図４（ｈ）に示す全開状態から引き出し２００が後方へ動くと、引き出し付きキャビネット１０は、図４（ｅ）及び図４（ｆ）に示す状態となる。このとき、引き出し２００には、第１ばね４１２及び第２ばね４２２による付勢力（力ｆ１及び力ｆ２）は作用していない。
【００６６】
引き出し２００がさらに後方へ動くと、引き出し２００の位置は、図４（ｃ）及び図４（ｄ）のように位置Ｐｅとなる。そして、引き出し２００が位置Ｐｅよりも後方へ移動し、移動距離（Ｘ）がＸ４よりも短くなると、引き出し２００と共に後方へ移動する第１ピン４１４は、第１トリガ４１３に当接する。これにより、第１トリガ４１３のロックが解除される。すなわち、第１トリガ４１３及び第１ばね４１２の端部ｅ２は、引き出し２００に連動して、後方に移動可能となる。同時に、第１トリガ４１３と第１ピン４１４とが係合する。
【００６７】
引き出し２００が全開位置Ｐｇにあるときから、引き出し２００が後方へ移動して第１トリガ４１３のロックが解除されるまでは、第１工程によって蓄積されたばね力が、第１ばね４１４に維持されている。そして、第１トリガ４１３と第１ピン４１４とが係合することにより、蓄積されたばね力によって、第１ばね４１２は、引き出し２００を後方へ付勢する。
【００６８】
また、引き出し２００が位置Ｐｅよりも後方へ移動し、移動距離（Ｘ）がＸ４よりも短くなると、引き出し２００と共に後方へ移動する第２ピン４２４は、第２トリガ４２３に当接する。これにより、第２トリガ４２３と第２ピン４２４とが係合し、第２ばね４２２は、引き出し２００を前方へ付勢する。
【００６９】
引き出し２００は、さらに後方へ動くと、図４（ａ）及び図４（ｂ）に示す状態を経て、図３（ｅ）及び図３（ｆ）に示す位置Ｐｃに移動する。その間、第２ばね４２２（端部ｅ４）は、引き出し２００に連動して後方へ移動し、第２ばね４２２にばね力が蓄積される。
【００７０】
引き出し２００が位置Ｐｃよりも後方（収納領域１０１側）へ移動し、移動距離（Ｘ）がＸ２よりも短くなると、図３（ｄ）のように、後方位置Ｐｒに達した第２トリガ４２３は、第２ケース４２１の形状等のガイドに沿って回転し、第２トリガ４２３と第２ピン４２４との係合が解除される。これにより、引き出し２００には、第２ばね４２２による前方への付勢力が作用しなくなる。同時に、第２トリガ４２３は、第２ばね４２２を伸ばした状態で、ロックされる。
【００７１】
その後、引き出し２００は、第１ばね４１２による付勢力によって、図３（ａ）及び図３（ｂ）に示す全閉状態となる。
【００７２】
以上、説明したように、動作機構２０は、引き出し２００が後方へ動く際に、移動距離（Ｘ）がＸ４よりも短くなると、第１位置Ｐ１に留まっていた第１ばね４１２の端部ｅ２を引き出し２００に連動させ、移動可能とする。これにより、動作機構２０は、０≦Ｘ＜Ｘ４の範囲において、第１ばね４１２に蓄積されたばね力によって引き出し２００を後方へ付勢する（第３工程）。
【００７３】
そして、引き出し２００が後方へ動いて所定位置（位置Ｐｃ）よりも収納領域１０１側へ移動したとき、すなわち、移動距離ＸがＸ２よりも短くなったとき、動作機構２０は、第１ばね４１２が引き出し２００を後方へ付勢している状態で、第２ばね４２２によって引き出し２００に作用する前方への付勢力を解除する。言い換えると、動作機構２０は、引き出し２００が後方へ動いて所定位置（位置Ｐｃ）よりも収納領域１０１側へ移動したとき、すなわち、移動距離ＸがＸ２よりも短くなったとき、第１ばね４１２が引き出し２００を後方へ付勢している状態で、第２ばね４２２によって引き出し２００に作用する前方への付勢力を解除する付勢力解除手段を備えている。詳述すると、引き出し２００が後方へ動いて所定位置（位置Ｐｃ）よりも収納領域１０１側へ移動したとき、第２トリガ４２３は、第２ケース４２１の形状等のガイドに沿って回転し、第２ばね４２２を引っ張る第２ピン４２４と第２トリガ４２３との係合が解除される。第２ピン４２４と第２トリガ４２３との係合状態が解除されると、第２ばね４２２によって引き出し２００に作用する前方への付勢力が解除される。この状態において、引き出し２００は、第１ばね４１２によって、後方へ付勢されている。これらのことより、引き出し２００が所定位置（位置Ｐｃ）よりも収納領域１０１側において、引き出し２００は後方へ付勢されることとなる。このとき、第２ばね４２２によって引き出し２００に作用する開方向への付勢力の大きさは、第１ばね４１２によって引き出し２００に作用する閉方向への付勢力の大きさよりも小さい。
【００７４】
本発明の第１の実施形態においては、動作機構２０は、第１ばね４１２が引き出し２００を後方へ付勢している状態で、第２ばね４２２によって引き出し２００に作用する前方への付勢力を解除するものである。しかし、本発明はそれに限らず、動作機構２０は、第１ばね４１２が引き出し２００を後方へ付勢している状態で、第１ばね４１２によって引き出し２００に作用する閉方向への付勢力よりも、第２ばね４２２によって引き出し２００に作用する開方向への付勢力を低減しているものであっても良い。言い換えると、動作機構２０は、引き出し２００が後方へ動いて所定位置（位置Ｐｃ）よりも収納領域１０１側へ移動したとき、すなわち、移動距離ＸがＸ２よりも短くなったとき、第１ばね４１２が引き出し２００を後方へ付勢している状態で、第１ばね４１２によって引き出し２００に作用する閉方向への付勢力よりも、第２ばね４２２によって引き出し２００に作用する開方向への付勢力を低減する付勢力低減手段を備えている。詳述すると、例えば、引き出し２００が後方へ動いて所定位置（位置Ｐｃ）よりも収納領域１０１側へ移動したときにも、第２トリガ４２３は、第２ケース４２１の形状等のガイドに沿って回転せずに、第２ピン４２４と第２トリガ４２３との係合が解除されない動作機構とする。この動作機構において、第２ばね４２２は、その付勢力が、引き出し２００が所定位置（位置Ｐｃ）よりも収納領域１０１側においても、第１ばね４１２の付勢力よりも小さいばね特性を有するばねとする。これらのことより、引き出し２００が所定位置（位置Ｐｃ）よりも収納領域１０１側において、引き出し２００は後方へ付勢されることとなる。このときも、第２ばね４２２によって引き出し２００に作用する開方向への付勢力の大きさは、第１ばね４１２によって引き出し２００に作用する閉方向への付勢力の大きさよりも小さい。
【００７５】
このことより、所定位置（位置Ｐｃ）よりも収納領域１０１側では、第１ばね４１２による付勢力によって引き出し２００を閉じることができる。例えば、引き出し２００が全閉状態となる直前（０＜Ｘ＜Ｘ２の範囲）においては、第２ばね４２２による付勢力が解除された状態で第１ばね４１２による付勢力が引き出しに作用する、または、第２ばね４２２による付勢力は、第１ばね４１２による付勢力よりも低減されている。これにより、第２ばね４２２が設けられた場合であっても、引き出し２００をしっかりと全閉状態とすることができる。
【００７６】
また、第３工程の実行中、Ｘ２≦Ｘ＜Ｘ４の範囲において、第２ばね４２２が引き出し２００に連動することで、第２ばね４２２にばね力が蓄積される。これにより、第２ばね４２２に蓄積されたばね力によって、第１工程の実行中に引き出し２００を前方へ付勢することができる。また、第２ばね４２２にばね力を蓄積する際には、第１ばね４１２によって引き出し２００に作用する閉方向への付勢力、および、引き出し２００に作用している閉方向への慣性力によって、使用者はより小さい力で第２ばね４２２のばね力を蓄積することができる。
【００７７】
また、第３工程においても、Ｘ２≦Ｘ＜Ｘ４の範囲において、第１ばね４１２による付勢力（力ｆ１）の大きさは、第２ばね４２２による付勢力（力ｆ２）の大きさよりも大きい。このため、第２ばね４２２による付勢力に負けずに、第１ばね４１２によって引き出し２００をしっかりと後方へ付勢することができる。したがって、引き出し２００をよりしっかりと全閉状態とすることができる。例えば、引き出し２００を閉める際の勢いが弱かったとしても、引き出し２００が前方へ戻ってくることを防ぐことができる。
【００７８】
また、実施形態においては、第１トリガ４１３、第２トリガ４２３、第１ピン４１４及び第２ピン４２４は、引き出し２００と同じ方向に駆動される。すなわち、これらの部材は、引き出しを開閉するときに水平方向に沿って移動することで、ばねを伸び縮みさせる。ばね力を蓄積するためのカム等の部材が鉛直方向に沿って移動する場合には、ばね力を蓄積する際などに、重力の分だけ大きな力が必要となる場合がある。これに対して、実施形態においては、第１トリガ４１３、第２トリガ４２３、第１ピン４１４及び第２ピン４２４を重力に逆らって動かす必要がないため、引き出しを開閉しやすい。
【００７９】
なお、第１の実施形態において、Ｘ２やＸ４の値は、引き出し付きキャビネット１０のサイズや使用者の使い勝手を考慮して適宜定められる。
【００８０】
（第２の実施形態）  
図６（ａ）〜図７（ｂ）は、第２の実施形態に係る引き出しの動作機構を有する引き出し付きキャビネットを例示する断面図である。  
引き出し付きキャビネット１０Ａは、キャビネット（キャビネット本体）１００と、引き出し２００と、レール３００と、動作機構（動作装置）２０Ａと、を有する。
【００８１】
キャビネット１００、引き出し２００及びレール３００については、図１（ａ）〜図２（ｂ）に関する説明と同様である。
【００８２】
図６（ａ）は、引き出し２００が収納領域１０１に収納され、全閉位置Ｐｔに位置する全閉状態を示している。図６（ｂ）は、図６（ａ）のうち動作機構２０Ａの近傍を拡大して表す。  
図７（ａ）は、引き出し２００が収納領域１０１から引き出され、全開位置Ｐｚに位置する全開状態を示している。図７（ｂ）は、図７（ａ）のうち動作機構２０Ａの近傍を拡大して表す。
【００８３】
動作機構２０Ａは、第１付勢手段（付勢部）４１０Ａと、第２付勢手段（付勢部）４２０Ａと、を有する。  
第１付勢手段４１０Ａは、引き出し２００を閉方向へ付勢するものである。また、第２付勢手段４２０Ａは、引き出し２００が開方向へ動く際に、引き出し２００を開方向へ付勢するものである。
【００８４】
例えば、図６（ｂ）に示すように、この例では、第１付勢手段４１０Ａに第１ばね４１２Ａが用いられている。第１ばね４１２Ａは、例えば引張コイルばねである。また、動作機構２０Ａは、第１ケース４１１Ａと、第１トリガ（支持部材）４１３Ａと、第１ピン４１４Ａと、ダンパ４１６と、を有する。
【００８５】
第１ケース４１１Ａは、キャビネット１００に対して固定される。第１ばね４１２Ａおよび第１トリガ４１３Ａは、第１ケース４１１Ａに設けられる。  
第１ばね４１２Ａの端部ｅ５（後端、一端）は、第１ケース４１１Ａに固定される。  
第１トリガ４１３Ａは、例えばフック状の部材であり、第１ばね４１２Ａの端部ｅ６（前端、他端）に取り付けられる。第１トリガ４１３Ａは、第１ケース４１１Ａ内において前後方向に移動可能である。
【００８６】
第１ピン４１４Ａは、引き出し２００に固定されており、第１トリガ４１３Ａと係合可能である。第１ピン４１４Ａと第１トリガ４１３Ａとが係合した状態では、引き出し２００及び第１ピン４１４Ａが前方へ動くとき、第１トリガ４１３Ａも前方へ移動し、第１ばね４１２Ａが伸ばされる。第１ピン４１４Ａと第１トリガ４１３Ａとが係合した状態では、引き出し２００及び第１ピン４１４Ａが後方へ動くとき、第１トリガ４１３Ａも後方へ移動し、第１ばね４１２Ａは縮まる。
【００８７】
このように、前後方向に移動する引き出し２００に連動して、第１ばね４１２Ａが前後方向に伸び縮みする。第１ばね４１２Ａが伸びることで、第１ばね４１２Ａには、ばね力が蓄積される。第１ピン４１４Ａと第１トリガ４１３Ａとが係合した状態では、第１ばね４１２Ａのばね力（弾性力）が、第１トリガ４１３Ａ及び第１ピン４１４Ａを介して引き出し２００に伝達される。これにより、第１ばね４１２Ａは、引き出し２００を後方へ付勢し、全閉位置Ｐｔへ引き入れる。
【００８８】
また、例えば図１（ｂ）に示すように、この例では、第２付勢手段４２０Ａに第２ばね４２２Ａが用いられている。第２ばね４２２Ａは、例えば定荷重ばねである。第２付勢手段４２０Ａには、引張コイルばねを用いてもよい。また、動作機構２０Ａは、第２ケース４２１Ａと、第２トリガ（支持部材）４２３Ａと、第２ピン４２４Ａと、を有する。
【００８９】
第２ケース４２１Ａは、引き出し２００に対して固定される。第２ばね４２２Ａおよび第２トリガ４２３Ａは、第２ケース４２１Ａに設けられる。  
第２ばね４２２Ａの端部ｅ７（後端）は、第２ケース４２１Ａに固定される。すなわち、第２ばね４２２Ａの端部ｅ７の位置は、間接的に引き出し２００に固定される。  
第２トリガ４２３Ａは、例えばフック状の部材であり、第２ばね４２２Ａの端部ｅ８（前端）に取り付けられる。第２トリガ４２３Ａは、第２ケース４２１Ａ内において前後方向に移動可能である。
【００９０】
第２ピン４２４Ａは、キャビネット１００に固定されており、第２トリガ４２３Ａと係合可能である。第２ピン４２４Ａと第２トリガ４２３Ａとが係合した状態では、引き出し２００及び第２ケース４２１Ａが前方へ動くとき、第２ピン４２４Ａ及び第２トリガ４２３Ａは停止しているため、第２ばね４２２Ａは縮まる。第２ピン４２４Ａと第２トリガ４２３Ａとが係合した状態では、引き出し２００及び第２ケース４２１Ａが後方へ動くとき、第２ピン４２４Ａ及び第２トリガ４２３Ａは、停止しているため、第２ばね４２２Ａが伸ばされる。
【００９１】
このように、前後方向に移動する引き出し２００に連動して、第２ばね４２２Ａが前後方向に伸び縮みする。第２ばね４２２Ａが伸びることで、第２ばね４２２Ａには、ばね力が蓄積される。第２ピン４２４Ａと第２トリガ４２３Ａとが係合した状態では、第２ばね４２２Ａのばね力（弾性力）が、引き出し２００に伝達される。これにより、第２ばね４２２Ａは、引き出し２００を前方へ付勢する。
【００９２】
次に、図８（ａ）〜図８（ｆ）、図９（ａ）〜図９（ｈ）及び図１０を参照して、引き出し２００を開閉する際の動作機構２０Ａの動作について説明する。
【００９３】
図８（ａ）〜図８（ｆ）及び図９（ａ）〜図９（ｈ）は、第２の実施形態に係る引き出しの動作機構を有する引き出し付きキャビネットを例示する断面図である。  
図８（ａ）は、全閉状態を表し、図９（ｇ）は、全開状態を表す。図８（ｃ）、図８（ｅ）、図９（ａ）、図９（ｃ）、図９（ｅ）は、それぞれ、全閉状態と全開状態との間の状態を表す。  
また、図８（ｂ）、図８（ｄ）、図８（ｆ）、図９（ｂ）、図９（ｄ）、図９（ｆ）、図９（ｈ）は、それぞれ、図８（ａ）、図８（ｃ）、図８（ｅ）、図９（ａ）、図９（ｃ）、図９（ｅ）、図９（ｇ）に示す動作機構２０の近傍を拡大して表す。
【００９４】
図１０は、引き出しの移動距離と、引き出しを開くために必要な力と、の関係を例示するグラフ図である。  
図１０の縦軸は、引き出し２００を開くために必要な前向きの力Ｆａを表す。図５の横軸は、引き出しの移動距離（Ｘ）を表す。なお、図１０は、簡単のため、摩擦力などを省略した模式的なグラフである。
【００９５】
まず、引き出し２００を全閉状態から開く（引き出す）場合について説明する。  
図８（ａ）及び図８（ｂ）においては、引き出し２００は全閉状態である。すなわち、引き出し２００は、全閉位置Ｐｔに位置し、移動距離（Ｘ）はゼロである。このとき、図８（ｂ）に示すように、第１ピン４１４Ａと第１トリガ４１３Ａとは係合している。また、第１ばね４１２Ａは、自然長よりも伸びた状態である。このため、第１ばね４１２Ａは、引き出し２００に後方へ向かう力ｆ１ａを作用させる。
【００９６】
一方、全閉状態において、第２トリガ４２３Ａは、第２ケース４２１Ａの前方位置Ｐｓにロックされている。すなわち、第２トリガ４２３Ａの位置は、第２ケース４２１Ａに対して相対的に固定されている。第２トリガ４２３Ａをロックする方法は、前述の第２トリガ４２３をロックする方法と同様である。
【００９７】
また、全閉状態においては、第２トリガ４２３Ａは、第２ピン４２４Ａよりも後方に位置し、第２ピン４２４Ａと係合していない。このため全閉状態において、第２ばね４２２Ａは引き出し２００を付勢しない。
【００９８】
以上により、図１０に示すようにＸ＝０のとき、引き出し２００を開くために必要な力Ｆａの大きさは、力ｆ１ａの大きさとなる。このように引き出し２００が全閉位置に位置する状態において、第１ばね４１２Ａのばね力が引き出し２００に掛かっていることにより、収納領域にある引き出し２００の前方への移動を抑えることができる。
【００９９】
図８（ｃ）及び図８（ｄ）のように、引き出し２００が前方へ動いて位置Ｐｕへ移動すると、移動距離（Ｘ）はＸ７（＞０）となる。このとき、引き出し２００には、第１ばね４１２Ａにより力ｆ１ａが掛かっている。
【０１００】
図８（ｅ）及び図８（ｆ）のように、引き出し２００がさらに前方へ動いて位置Ｐｖへ移動すると、移動距離（Ｘ）はＸ８（＞Ｘ７）となる。このときも、引き出し２００には、第１ばね４１２Ａにより力ｆ１ａが掛かっている。また、第２トリガ４２３Ａは、引き出し２００及び第２ケース４２１Ａと共に前方へ動き、第２ピン４２４Ａに当接する。これにより、第２トリガ４２３Ａのロックが解除される。同時に、第２ピン４２４Ａと第２トリガ４２３Ａとは係合する。このため、第２ばね４２２Ａは、引き出し２００に前方へ向かう力ｆ２ａを作用させる。引き出し２００には、第１ばね４１２Ａによる引き出し２００を閉める方向の力（力ｆ１ａ）と、第２ばね４２２Ａによる引き出し２００を開く方向の力（力ｆ２ａ）と、の両方が掛かる。
【０１０１】
このため、図１０に示すようにＸ＝Ｘ８のとき、引き出し２００を開くために必要な力Ｆａの大きさは、力ｆ１ａの大きさと力ｆ２ａの大きさとの差となる。
【０１０２】
図９（ａ）及び図９（ｂ）のように、引き出し２００がさらに前方へ動いて位置Ｐｗへ移動すると、移動距離（Ｘ）はＸ９（＞Ｘ８）となる。このとき、引き出し２００には、第１ばね４１２Ａによる力ｆ１ａと、第２ばね４２２Ａによる力ｆ２ａと、の両方が掛かっている。
【０１０３】
図９（ｃ）及び図９（ｄ）のように、引き出し２００がさらに前方へ動いて位置Ｐｘへ移動すると、移動距離（Ｘ）はＸ１０（＞Ｘ９）となる。このとき、第１トリガ４１３Ａは、第１ケース４１１Ａの形状等のガイドに沿って回転し、第１トリガ４１３Ａと第１ピン４１４Ａとの係合が解除される。これにより、引き出し２００には、第１ばね４１２Ａによる後方への付勢力が作用しなくなる。  
また、このとき、第１トリガ４１３Ａはロックされ、第１トリガ４１３Ａの位置は第１ケース４１１Ａに対して相対的に固定される。これにより、図９（ｄ）に示すように第１ばね４１２Ａの端部ｅ６は、第１位置Ｐ１ａに留まり、第１ばね４１２Ａのばね力が蓄積された状態が維持される。なお、第１トリガ４１３Ａをロックする方法は、第２トリガ４２３Ａをロックする方法と同様である。
【０１０４】
同時に、第２トリガ４２３Ａも第２ケース４２１Ａの形状等のガイドに沿って回転し、第２トリガ４２３Ａと第２ピン４２４Ａとの係合が解除される。これにより、引き出し２００には、第２ばね４２２Ａによる前方への付勢力が作用しなくなる。また、このとき、第２トリガ４２３Ａはロックされ、第２トリガ４２３Ａの位置は、第２ケース４２１Ａに対して相対的に固定される。すなわち、第２トリガ４２３Ａは、第２ケース４２１Ａの後部に位置し、引き出し２００及び第２ケース４２１Ａと共に動くようになる。
【０１０５】
図９（ｅ）及び図９（ｆ）のように、引き出し２００がさらに前方へ動いて位置Ｐｙへ移動すると、移動距離（Ｘ）はＸ１１（＞Ｘ１０）である。このとき、第１トリガ４１３Ａ及び第２トリガ４２３Ａは、ロックされたままであり、第１ばね４１２Ａの端部ｅ６は第１位置Ｐ１ａに留まっている。また、引き出し２００には、第１ばね４１２Ａ及び第２ばね４２２Ａによる付勢力が作用しない。このため、図１０に示すように、引き出し２００を開くために必要な力Ｆａの大きさは、小さい。
【０１０６】
その後、図９（ｇ）及び図９（ｈ）のように、引き出し２００がさらに前方へ動いて全開位置Ｐｚへ移動すると、移動距離（Ｘ）はＸ１２（＞Ｘ１１）となる。
【０１０７】
以上説明したように、動作機構２０Ａも、動作機構２０と同様に第１工程及び第２工程を実行可能である。  
すなわち、動作機構２０Ａは、０＜Ｘ＜Ｘ１０の範囲において、図８（ａ）〜図９（ｂ）のように引き出し２００が全閉状態から前方（開方向）へ動く際に、第１ばね４１２Ａの端部ｅ６を引き出し２００に連動させて第１位置Ｐ１ａまで移動させる。これにより、第１ばね４１２Ａのばね力を蓄積する（第１工程）。
【０１０８】
また、動作機構２０Ａは、第１工程の後、Ｘ＝Ｘ１０において、図９（ｃ）及び図９（ｄ）のように、引き出し２００が前方（開方向）へ動く際に、第１ばね４１２Ａの端部ｅ６と引き出し２００との連動を解除する。これにより、ばね力が蓄積された状態で第１ばね４１２Ａの端部ｅ６を第１位置Ｐ１ａに留める（第２工程）。
【０１０９】
第１工程のうち、Ｘ８≦Ｘ＜Ｘ１０の範囲においては、第１ばね４１２Ａが引き出しを閉方向へ付勢しながら、第２ばね４２２Ａが引き出し２００を開方向へ付勢する。これにより、引き出し２００を開く際に、第１ばね４１２Ａによる閉方向への付勢力に対して抗するように、第２ばね４２２Ａが引き出し２００を開方向へ付勢することになるため、引き出し２００を小さい力で開くことができる。
【０１１０】
また、引き出し２００を引き出すため必要な仕事量は、例えば図１０に示す領域Ｒ３の面積に対応する仕事量となり、領域Ｒ４の面積に対応する仕事量が不要になる。これにより、楽に引き出し２００を引き出すことができる。
【０１１１】
また、第１工程が終了する直前において、引き出し２００に作用する付勢力（力ｆ１ａと力ｆ２ａとの合力）が小さいため、使用者の違和感を抑制することができる。  
また、第１工程において、第１ばね４１２Ａによる付勢力の大きさは、第２ばね４２２Ａによる付勢力の大きさよりも大きい。このため、Ｘ＜Ｘ１０の範囲において、使用者が力Ｆａの印加を停止すると、引き出し２００は自然に閉まることができる。
【０１１２】
また、第２工程において、第２ばね４２２Ａによる引き出し２００に作用する前方（開方向）への付勢力（力ｆ２ａ）が解除される。このように、第１ばね４１２Ａのばね力の蓄積工程が完了した際、第１ばね４１２Ａによる付勢力（力ｆ１ａ）の解除と同時に、第２ばね４２２Ａによる付勢力（力ｆ２ａ）を解除することにより、より滑らかに引き出し２００を引き出すことができる。
【０１１３】
次に、引き出し２００を全開状態から収納領域１０１に収納する（閉じる）ときの動作について説明する。  
図９（ｇ）及び図９（ｈ）に示す全開状態から引き出し２００が後方へ動くと、引き出し付きキャビネット１０Ａは、図９（ｅ）及び図９（ｆ）に示す状態となる。このとき、引き出し２００には、第１ばね４１２Ａ及び第２ばね４２２Ａによる付勢力（力ｆ１ａ及び力ｆ２ａ）は作用していない。
【０１１４】
引き出し２００がさらに後方へ動くと、引き出し２００の位置は、図４（ｃ）及び図４（ｄ）のように位置Ｐｘとなる。そして、引き出し２００が位置Ｐｘよりも後方へ移動し、移動距離（Ｘ）がＸ１０よりも短くなると、引き出し２００と共に後方へ移動する第１ピン４１４Ａは、第１トリガ４１３Ａに当接する。これにより、第１トリガ４１３Ａのロックが解除される。すなわち、第１トリガ４１３Ａ及び第１ばね４１２Ａの端部ｅ６は、引き出し２００に連動して、後方に移動可能となる。同時に、第１トリガ４１３Ａと第１ピン４１４Ａとが係合する。第１トリガ４１３Ａと第１ピン４１４Ａとが係合することにより、蓄積されたばね力によって、第１ばね４１２Ａは、引き出し２００を後方へ付勢する。
【０１１５】
また、引き出し２００が位置Ｐｘよりも後方へ移動し、移動距離（Ｘ）がＸ１０よりも短くなると、引き出し２００と共に後方へ移動する第２トリガ４２３Ａは、第２ピン４２４Ａに当接する。これにより、第２トリガ４２３Ａと第２ピン４２４Ａとが係合し、第２ばね４２２Ａは、引き出し２００を前方へ付勢する。
【０１１６】
引き出し２００は、さらに後方へ動くと、図９（ａ）及び図９（ｂ）に示す状態を経て、図８（ｅ）及び図８（ｆ）に示す位置Ｐｖに移動する。その間、第２トリガ４２３Ａ及び第２ばね４２２Ａの端部ｅ８は、停止している。一方、第２ばね４２２Ａの端部ｅ７は、引き出し２００に連動して後方へ移動する。これにより、第２ばね４２２Ａにばね力が蓄積される。
【０１１７】
引き出し２００が位置Ｐｖよりも後方へ移動し、移動距離（Ｘ）がＸ８よりも短くなると、図８（ｄ）のように、前方位置Ｐｓに達した第２トリガ４２３Ａは、第２ケース４２１Ａの形状等のガイドに沿って回転し、第２トリガ４２３Ａと第２ピン４２４Ａとの係合が解除される。これにより、引き出し２００には、第２ばね４２２Ａによる前方への付勢力が作用しなくなる。同時に、第２トリガ４２３Ａは、第２ばね４２２Ａを伸ばした状態で、第２ケース４２１Ａに対してロックされる。
【０１１８】
その後、引き出し２００は、第１ばね４１２Ａによる付勢力によって、図８（ａ）及び図８（ｂ）に示す全閉状態となる。
【０１１９】
以上、説明したように、動作機構２０Ａは、引き出し２００が後方へ動く際に、移動距離（Ｘ）がＸ１０よりも短くなると、第１位置Ｐ１ａに留まっていた第１ばね４１２Ａの端部ｅ６を引き出し２００に連動させ、移動可能とする。これにより、動作機構２０Ａは、０≦Ｘ＜Ｘ１０の範囲において、第１ばね４１２Ａに蓄積されたばね力によって引き出し２００を後方へ付勢する（第３工程）。
【０１２０】
そして、引き出し２００が後方へ動いて所定位置（位置Ｐｖ）よりも収納領域１０１側へ移動したとき、すなわち、移動距離ＸがＸ８よりも短くなったとき、動作機構２０Ａは、第１ばね４１２Ａが引き出し２００を後方へ付勢している状態で、第２ばね４２２Ａによって引き出し２００に作用する前方への付勢力を解除する。言い換えると、動作機構２０Ａは、引き出し２００が後方へ動いて所定位置（位置Ｐｖ）よりも収納領域１０１側へ移動したとき、すなわち、移動距離ＸがＸ８よりも短くなったとき、第２ばね４２２Ａによって引き出し２００に作用する前方への付勢力を解除する付勢力解除手段を備えている。詳述すると、引き出し２００が後方へ動いて所定位置（位置Ｐｖ）よりも収納領域１０１側へ移動したとき、第２トリガ４２３Ａは、第２ケース４２１Ａの形状等のガイドに沿って回転し、第２ばね４２２Ａを引っ張る第２トリガ４２３Ａと第２ピン４２４Ａとの係合が解除される。第２ピン４２４Ａと第２トリガ４２３Ａとの係合状態が解除されると、第２ばね４２２Ａによって引き出し２００に作用する前方への付勢力が解除される。この状態において、引き出し２００は、第１ばね４１２Ａによって、後方へ付勢されている。これらのことより、引き出し２００が所定位置（位置Ｐｖ）よりも収納領域１０１側において、引き出し２００は後方へ付勢されることとなる。このとき、第２ばね４２２Ａによって引き出し２００に作用する開方向への付勢力の大きさは、第１ばね４１２Ａによって引き出し２００に作用する閉方向への付勢力の大きさよりも小さい。
【０１２１】
本発明の第２の実施形態において、動作機構２０Ａは、第１ばね４１２Ａが引き出し２００を後方へ付勢している状態で、第２ばね４２２Ａによって引き出し２００に作用する前方への付勢力を解除するものである。しかし、本発明は、それに限らず、動作機構２０Ａは、第１ばね４１２Ａが引き出し２００を後方へ付勢している状態で、第１ばね４１２Ａによって引き出し２００に作用する閉方向への付勢力よりも、第２ばね４２２Ａによって引き出し２００に作用する開方向への付勢力を低減しているものであっても良い。言い換えると、動作機構２０Ａは、引き出し２００が後方へ動いて所定位置（位置Ｐｖ）よりも収納領域１０１側へ移動したとき、すなわち、移動距離ＸがＸ８よりも短くなったとき、第１ばね４１２Ａが引き出し２００を後方へ付勢している状態で、第１ばね４１２Ａによって引き出し２００に作用する閉方向への付勢力よりも、第２ばね４２２Ａによって引き出し２００に作用する開方向への付勢力を低減する付勢力低減手段を備えている。詳述すると、例えば、引き出し２００が後方へ動いて所定位置（Ｐｖ）よりも収納領域１０１側へ移動したときにも、第２トリガ４２３Ａは、第２ケース４２１Ａの形状等のガイドに沿って回転せずに、第２ピン４２４Ａと第２トリガ４２３Ａとの係合が解除されない動作機構とする。この動作機構において、第２ばね４２２Ａは、その付勢力が、引き出し２００が所定位置（位置Ｐｖ）よりも収納領域１０１側においても、第１ばね４１２Ａの付勢力よりも小さいばね特性を有するばねとする。これらのことより、引き出し２００が所定位置（位置Ｐｖ）よりも収納領域１０１側において、引き出し２００は後方へ付勢されることとなる。このときも、第２ばね４２２Ａによって引き出し２００に作用する開方向への付勢力の大きさは、第１ばね４１２Ａによって引き出し２００に作用する閉方向への付勢力の大きさよりも小さい。
【０１２２】
これにより、第２ばね４２２Ａが設けられた場合であっても、第１ばね４１２Ａの付勢力によって、引き出し２００をしっかりと全閉状態とすることができる。
【０１２３】
また、第３工程の実行中、Ｘ８≦Ｘ＜Ｘ１０の範囲において、第２ばね４２２Ａが引き出し２００に連動することで、第２ばね４２２Ａにばね力が蓄積される。これにより、第２ばね４２２Ａに蓄積されたばね力によって、第１工程の実行中に引き出し２００を前方へ付勢することができる。
【０１２４】
また、第３工程においても、Ｘ８≦Ｘ＜Ｘ１０の範囲において、第１ばね４１２Ａによる付勢力（力ｆ１ａ）の大きさは、第２ばね４２２Ａによる付勢力（力ｆ２ａ）の大きさよりも大きい。このため、第２ばね４２２Ａによる付勢力に負けずに、第１ばね４１２Ａによって引き出し２００をしっかりと後方へ付勢することができる。
【０１２５】
また、実施形態においては、第１トリガ４１３Ａ、第２トリガ４２３Ａ、第１ピン４１４Ａ及び第２ピン４２４Ａは、引き出し２００と同じ方向に駆動される。すなわち、これらの部材は、引き出しを開閉するときに水平方向に沿って移動することで、ばねを伸び縮みさせる。第１トリガ４１３Ａ、第２トリガ４２３Ａ、第１ピン４１４Ａ及び第２ピン４２４Ａを重力に逆らって動かす必要がないため、引き出しを開閉しやすい。
【０１２６】
なお、第２の実施形態において、Ｘ８やＸ１０の値は、引き出し付きキャビネット１０Ａのサイズや使用者の使い勝手を考慮して適宜定められる。
【０１２７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【０１２８】
また、前述した各実施の形態が備える各要素は、技術的に可能な限りにおいて組み合わせることができ、これらを組み合わせたものも本発明の特徴を含む限り本発明の範囲に包含される。
【符号の説明】
【０１２９】
１０、１０Ａ 引き出し付きキャビネット、  ２０、２０Ａ 動作機構、  １００ キャビネット、  １０１ 収納領域、  １０２ 前方領域、  １０３ 開口、  ２００ 引き出し、  ２０１ 前板、  ２０２ 収納部、  ２０３ 把手、  ３００ レール、  ３１０ 外レール、  ３２０ 内レール、  ４１０、４１０Ａ 第１付勢手段、  ４１１、４１１Ａ 第１ケース、  ４１２、４１２Ａ 第１ばね、  ４１３、４１３Ａ 第１トリガ、  ４１４、４１４Ａ 第１ピン、  ４１６ ダンパ、  ４２０、４２０Ａ 第２付勢手段、  ４２１、４２１Ａ 第２ケース、  ４２２、４２２Ａ 第２ばね、  ４２３、４２３Ａ 第２トリガ、  ４２４、４２４Ａ 第２ピン
【図１】
2018130217.tif 000003
【図２】
2018130217.tif 000004
【図３】
2018130217.tif 000005
【図４】
2018130217.tif 000006
【図５】
2018130217.tif 000007
【図６】
2018130217.tif 000008
【図７】
2018130217.tif 000009
【図８】
2018130217.tif 000010
【図９】
2018130217.tif 000011
【図１０】
2018130217.tif 000012